(57)【特許請求の範囲】
【請求項１】
外枠となる筐体と、
前記筐体に設けられ情報を表示する表示部と、
前記筐体の内部かつ前記表示部の裏側であって一部が前記表示部から突出して設けられたスピーカと、
前記スピーカの表面部から直線状に延在されて形成され前記スピーカから発生された音を前記筐体の外部へ導く導音部と、
を有する電子機器であって、
前記導音部は、上側導音ダクト部と、下側導音ダクト部と、を備え、
前記筐体は、上側支持部と、下側支持部と、爪部と、を設け、
前記表示部の上側の前後両面は前記上側支持部と前記爪部とで挟まれて支持され、前記表示部の下側の前後両面は、前記下側支持部と前記上側導音ダクト部とで挟まれて支持されていることを特徴とする電子機器。
【請求項２】
前記筐体は、筐体前方部と筐体後方部とが組み合わされて構成され、
前記筐体前方部に、前記上側支持部と、前記爪部と、前記下側支持部と、前記上側導音ダクト部と、前記下側導音ダクト部と、が設けられていることを特徴とする請求項１に記載の電子機器。
【請求項３】
前記スピーカは、前記上側導音ダクト部と前記下側ダクト部とで形成された開口部を閉塞するように、前記上側導音ダクト部及び前記下側導音ダクト部に取り付けられることを特徴とする請求項１又は２に記載の電子機器。
【請求項４】
前記導音部は、光を透過させない材料で構成されていることを特徴とする請求項１乃至３のいずれか１項に記載の電子機器。
【発明の詳細な説明】
【技術分野】
【０００１】
本発明は、スピーカを備えた電子機器に関する。
【背景技術】
【０００２】
従来の電子機器の中には、例えば液晶テレビやカーナビゲーションなどのスピーカを備えたものが知られている。この種の電子機器では、正面視にて、スピーカが液晶表示部の外側に位置しているものが殆どであるが、スピーカを液晶表示部の外側に配置させると、電子機器の大型化という問題が生じてしまう。特に、電子機器が大型化すると、例えば自動車の内部などの限られたスペースに配置することが困難となり、非常に使い難いものとなる。
【０００３】
ところで、上記問題を解決する電子機器として、スピーカを液晶表示部の裏側に配置させたものが提案されている（下記特許文献１参照）。この電子機器では、スピーカを筐体の内部であって液晶表示部の裏側に配置させるとともに、スピーカから発生した音を筐体の外部に導く導音路を別途独立して形成している。
【特許文献１】特開平８−１６８０３７号公報
【発明の開示】
【発明が解決しようとする課題】
【０００４】
しかしながら、上記電子機器では、スピーカから発生した音を筐体の外部に導く導音路を別途独立して形成しなければならず、組立工数、製造コスト及び電子機器の重量が増加するという別の問題が発生する。また、従来の電子機器のように、スピーカを液晶表示部の中央部近傍に位置させると、液晶表示部を迂回するように導音路を曲げて形成する必要があるが、導音路を曲げてしまうと、特に周波数の高い音が筐体の外部に出力され難くなり、音質が低下するという別の問題も発生する。
【０００５】
そこで、本発明は、上記事情を考慮し、組立工数、製造コスト及び電子機器の重量を低減できるとともに、さらに音質の低下も防止できる電子機器を提供することを目的とする。
【課題を解決するための手段】
【０００６】
請求項１に記載の発明は、外枠となる筐体と、前記筐体に設けられ情報を表示する表示部と、前記筐体の内部かつ前記表示部の裏側であって一部が前記表示部から突出して設けられたスピーカと、前記スピーカの表面部から直線状に延在されて形成され前記スピーカから発生された音を前記筐体の外部へ導く導音部と、を有する電子機器であって、前記導音部は、上側導音ダクト部と、下側導音ダクト部と、を備え、前記筐体は、上側支持部と、下側支持部と、爪部と、を設け、前記表示部の上側の前後両面は前記上側支持部と前記爪部とで挟まれて支持され、前記表示部の下側の前後両面は、前記下側支持部と前記上側導音ダクト部とで挟まれて支持されていることを特徴とする。
【０００７】
請求項１に記載の発明によれば、表示部の上下それぞれを前後両面を挟んで支持することが可能となり、表示部を強固に固定することができる。
【０００８】
請求項２に記載の発明は、請求項１に記載の電子機器において、前記筐体は、筐体前方部と筐体後方部とが組み合わされて構成され、前記筐体前方部に、前記上側支持部と、前記爪部と、前記下側支持部と、前記上側導音ダクト部と、前記下側導音ダクト部と、が設けられていることを特徴とする。
【０００９】
請求項２に記載の発明によれば、筐体前方部に上側支持部と、爪部と、下側支持部と、上側導音ダクト部と、下側導音ダクト部とが設けられているため、筐体後方部組み付ける前の筐体前方部に、表示部を取り付けることができる。このため、表示部の取り付け作業が容易になり、更に、筐体前方部に表示部を取り付けた後、筐体前方部を筐体後方部に組み付けることができるため、電子機器の組み立てを用意にすることができる。
【００１０】
本願の請求項３にかかる発明は、請求項１または２に記載の電子機器において、前記スピーカは、前記上側導音ダクト部と前記下側ダクト部とで形成された開口部を閉塞するように、前記上側導音ダクト部及び前記下側導音ダクト部に取り付けられることを特徴とする。
【００１１】
請求項３に記載の発明によれば、スピーカを上側導音ダクト部及び下側導音ダクト部との開口部を閉じる壁部として用いることができ、スピーカ自体に導音部としての機能を持たせることができ、スピーカから出力された音は、全て導音部の中を前方に進むため、スピーカから出力された音の発散を防止することができる。
【００１２】
請求項４に記載の発明は、請求項１乃至３のいずれか１項に記載の電子機器において、前記導音部は、光を透過させない材料で構成されていることを特徴とする。
【００１３】
請求項４に記載の発明によれば、導音部が光を透過させない材料で構成されているため、特に導音部が表示部を固定する表示部固定機能を兼ねる構成とした場合でも、表示部からの光が導音部を透過して筐体の外部に漏れることを防止できる。
【発明の効果】
【００１４】
本発明によれば、組立工数、製造コスト及び電子機器の重量の増加を防止できるとともに、さらに音質の低下も防止することができる。
【発明を実施するための最良の形態】
【００１５】
次に、本発明の一実施形態に係る電子機器について、図面を参照して説明する。なお、本発明の電子機器は、例えば液晶テレビやカーナビゲーションなどに幅広く適用することができるものである。
【００１６】
図１乃至図３に示すように、電子機器１０は、外側となる箱状の筐体１２を備えている。この筐体１２は、前方（表面）側に位置する筐体前方部１２Ａと、後方（裏面）側に位置する筐体後方部１２Ｂと、が組み合わされて構成されている。筐体前方部１２Ａの前方（表面）側には支持部１４が形成されており、この支持部１４の後方（裏面）側にタッチパネル部１６が配置されている。また、筐体１２の前方（表面）側であってタッチパネル部１６の下方側には、操作部１８が設けられている。この操作部１８には、操作に必要な入力ボタン１８Ａなどが配置されている。また、操作部１８の左右両側には、後述の導音ダクト（導音部）２４の入口を形成するスリット部１８Ｂがそれぞれ設けられている。
【００１７】
また、筐体前方部１２Ａの内部であってタッチパネル部１６の後方（裏面）側には、所定の情報を表示する液晶表示部（表示部）２０が配置されている。この液晶表示部２０は、タッチパネル部１６と共に、筐体前方部１２Ａに形成された爪部２２と、後述する導音ダクト２４を構成する上側導音ダクト部２４Ａと、上述した支持部１４と、により筐体前方部１２Ａの内部に位置決め固定されている。
【００１８】
また、図２に示すように、筐体前方部１２Ａの内部であって液晶表示部２０の下方の左右両側には、後述のスピーカ２８から発生された音を筐体前方部１２Ａの表面に導く導音ダクト（導音部）２４がネジ２６によりそれぞれ取り付けられている。この各導音ダクト２４は、筐体前方部１２Ａに取り付けられ液晶表示部２０を位置決め固定する上側導音ダクト部２４Ａと、筐体前方部１２Ａに取り付けられた下側導音ダクト部２４Ｂと、で閉ざされた空間部として構成されている。これにより、後述のスピーカ２８から発生された音は、筐体１２の外部に音漏れすることなく、スリット部１８Ｂから出力される。また、上側導音ダクト部２４Ａと下側導音ダクト部２４Ｂは、例えば黒色のプラスチック樹脂などのような光を透過しない材料で構成されている。
【００１９】
また、図２に示すように、各上側導音ダクト部２４Ａの後端部と各下側導音ダクト部２４Ｂの後端部にはスピーカ２８がネジ３０によりそれぞれ取り付けられている。詳細には、各導音ダクト２４は、各スピーカ２８の表面側から筐体前方部１２Ａの表面側に向かって直線状に延在されてそれぞれ形成されている。なお、各上側導音ダクト部２４Ａの前端部と各下側導音ダクト部２４Ｂの前端部は、各スリット部１８Ｂにそれぞれ接続されている。また、各スピーカ２８は、筐体前方部１２Ａの内部かつ液晶表示部２０の裏側あってその一部が液晶表示部２０から下側に突出するようにそれぞれ設けられている。
【００２０】
以上のように、本実施形態の電子機器１０では、導音ダクト２４は、液晶表示部２０を固定する表示部固定機能を兼備するとともに、各スピーカ２８をそれぞれ固定するスピーカ固定機能も兼備するように構成されている。
【００２１】
次に、本実施形態の電子機器１０の作用について説明する。
【００２２】
図１乃至図３に示すように、各スピーカ２８が筐体前方部１２Ａの内部かつ液晶表示部２０の裏側あって一部が液晶表示部２０から下側に突出して設けられており、各導音ダクト２４が各スピーカ２８の表面側から筐体前方部１２Ａの表面側に向かって直線状に延在されて形成されているため、各導音ダクト２４が曲げられることがない。このため、各スピーカ２８から周波数の高い音が発生された場合でも、音質を低下させることなく、筐体１２の外部に出力させることができる。また、各スピーカ２８を筐体１２の表面であって液晶表示部２０の外側に配置させる必要がないため、電子機器１０を小型化することができ、電子機器１０の重量を低減させることができる。この結果、電子機器１０を例えば自動車の内部などの限られたスペースでも十分に配置させることができる。
【００２３】
特に、導音ダクト２４が液晶表示部２０を固定する表示部固定機能を兼ねているため、電子機器１０に本来必要な既存の構成部材を用いて導音ダクト２４を形成させることができる。これにより、液晶表示部２０を固定する固定部とは別の独立した部材を用いて導音ダクトを形成する場合と比較して、電子機器１０の組立工数及びその重量が増加することを防止できる。また、スピーカ２８からの音の出力により筐体１２だけでなく導音ダクト２４を介して液晶表示部２０を共振させることができるため、スピーカ２８から出力される音の音質を向上させることができる。
【００２４】
また、同様にして、各導音ダクト２４が各スピーカ２８を固定するスピーカ固定機能を兼ねているため、電子機器１０に本来必要な既存の構成部材を用いて導音ダクト２４を形成させることができる。これにより、スピーカ２８を固定する別の独立した部材を用いて導音部を形成する場合と比較して、電子機器１０の組立工数及び重量が増加することを防止できる。
【００２５】
さらに、導音ダクト２４が光を透過させない材料（本実施形態では黒色のプラスチック樹脂）で構成されているため、特に導音ダクト２４が液晶表示部２０を固定する表示部固定機能を兼ねる構成とした場合でも、液晶表示部２０や操作部１８からの光が導音ダクト２４を透過してスリット部１８Ｂから筐体１２の外部に漏れることを防止できる。
【図面の簡単な説明】
【００２６】
【図１】本発明の一実施形態に係る電子機器の正面図である。
【図２】本発明の一実施形態に係る電子機器を構成する筐体の筐体後方部が取り外された状態を後方（裏面）側から見た構成図である。
【図３】本発明の一実施形態に係る電子機器の縦断面図である。
【符号の説明】
【００２７】
１０      電子機器
１２      筐体
２０      液晶表示部（表示部）
２４      導音ダクト（導音部）
２８      スピーカ
【図１】
0005010810.tif 000002
【図２】
0005010810.tif 000003
【図３】
0005010810.tif 000004